Podtech/llm-jp-corpus-v4-ja_patent huggingface dataset:
(57)【要約】【課題】この考案は、ノートパソコンの液晶画面クリーナーにＶ字型の指差込み帯を付け、そのカーブと適度のゆるみにより、ノートパソコン使用時の画面の縁などに引っ掛け、紛失を防ぐ物。【解決手段】クリーナー布とビニールの間にスポンジを挟み、周囲を熱溶着し、クリーナー部の裏に、指差込み帯を付け、その帯のＶ字のカーブとゆるみで、ノートパソコンの液晶画面の縁などに引っ掛け、保管を容易にした。クッション性の有るスポンジとＶ字の帯で画面を挟む事により、落ちにくい。【選択図】図１
0003103325.tif 000002
【実用新案登録請求の範囲】
【請求項１】
ノートパソコンなどの液晶画面の汚れを拭き取るクリーナーを、布などのクリーナー部とビニールの間にスポンジをはさみ、クリーナー部の裏に指を差し込む帯を付け、その帯部分をノートパソコンの画面の縁などに引っ掛け可能にした物。
【考案の詳細な説明】
【考案の詳細な説明】
【技術分野】
【０００１】本考案は液晶画面クリーナーにＶ字型の指の差込み帯を付け、その帯により画面の縁に引っ掛け保管可能にした物である。
【背景技術】
【０００２】パソコン等の液晶画面用クリーナーには布状、はたき型、ブラシ型、などが有る。
【考案が解決しようとする課題】
【０００３】布状、ブラシ型、はたき型、など従来のパソコン画面クリーナーは、大きく、収納に不便であり、パソコン使用時に手許に置きにくい、高価である、きれいに拭き取りにくいなどの点がある。
【課題を解決するための手段】
【０００４】本考案は、手のひらサイズのクリーナー布とビニールの間にスポンジをはさみ、周囲を熱溶着し、クリーナー部の裏に指の差込み帯を付けた。適度のクッション性と硬さがもて、指差込み帯で画面を拭きやすくした。指差込み帯のＶ字のカーブとＶ字の下部にゆるみを持たせる事により、ノートパソコン使用時の画面の縁に引っ掛けられる様にし紛失を防ぐ。又、クッション性の有るスポンジと、Ｖ字の帯で画面を挟む事により画面の縁に密着し、落ちにくい。
【考案を実施するための最良の形態】
【０００５】手のひらサイズのクリーナー布とビニールの間にスポンジを挟んで、周囲を熱溶着した本体に、指を差し込む帯をつける。その帯をＶ字型にし、Ｖ字の下部にゆるみを持たせる事により、ノートパソコンの画面の縁などに引っ掛けられる。
【実施例】
【０００６】以下、添付図面に従って一実施例を説明する。１は、Ｖ字の帯で使用時は指を差込み、保管時はノートパソコンの液晶画面の縁に引っ掛ける。２は、スポンジを挟むビニール。３は、スポンジ。４は、クリーナー布である。
【考案の効果】
【０００７】スポンジをクリーナー布とビニールで挟み、Ｖ字型の指差込み引っ掛け帯を付けた、適度なクッション性と硬さが有り、安定して画面を拭けるノートパソコン用液晶画面クリーナーである。指差込み帯のＶ字に、適度なゆとりを持たせることで、ノートパソコンの液晶画面などの縁に引っ掛け可能にし、クリーナーの紛失を防ぐ。クッション性のあるスポンジとＶ字の帯でノートパソコンの画面の縁などを挟むため、落ちにくい。
【図面の簡単な説明】
【図１】  引っ掛け帯付きノートパソコン用液晶画面クリーナーの正面図である。
【図２】  引っ掛け帯付きノートパソコン用液晶画面クリーナーの断面図である。
【符号の説明】
１  Ｖ字型指差込み帯
２  ビニール
３  スポンジ
４  クリーナー布
【図１】
0003103325.tif 000003
【図２】
0003103325.tif 000004
(57)【要約】      （修正有）【課題】手すりは身体支持機能と誘導機能を有する。しかし、停電時あるいは予期せぬ災害・地震等の暗闇時にはその機能を失い、安全ゾーンへの誘導は不充分である。本考案は手摺と暗闇所における誘導機能材を一体化する事で、前述の欠点を解決する。【解決手段】手摺本体に蓄光材を収納する溝部を設け、蓄光材は損壊保護用に二重パイプを装着し溝部に圧入する。手摺端部のキャップ又は接続エルボがこの蓄光材内蔵二重パイプを確実に保持する。【選択図】図１
0003103370.tif 000002
【実用新案登録請求の範囲】
【請求項１】
建物の壁面に設けて歩行者の活動バランスを保持しようとする手摺材に、更に利用者に便なる誘導機能を持たせる機能として手摺表面に長方向に沿って溝を設け発光機能材を取りつける。手摺は不燃性の管材の表面に長手側に沿って直線に有幅の溝を設けるべく、管体の長方向に切断された表面を対向する背面方向に折り曲げ側端片とし、更に側端片の先端を中心方向に折り曲げ固定片とする。対応する切断表面も対向する背面方向に折り曲げ移動規制片とし、この先端を中心方向に折り曲げ固定片として対応する固定片と同一背面を有する溝構造を有する蓄光機能付誘導手摺
【請求項２】
前記側端片と移動規制片との間には互いに固定片を有するから、それぞれの固定片を接続させて溝となり、連続した中空部を有した管状に溝が形成される。溝部の長手方向に樹脂性中空パイプを前記各対向する側端片と移動規制片をそれぞれ当接状態として圧入される。断面がほぼコの字上に形成されたパイプ材は装着部材を溝にある固定部材とパイプに設けられた側端片との間にそれぞれ圧入されて前記表装板にて溝を覆う樹脂製カバーを具備した事を特徴とする請求項１記載のパイプ材の組成構造の蓄光機能付誘導手摺
【考案の詳細な説明】
【技術分野】
【０００１】本考案は手摺本体に溝部を設け、蓄光材を内部に有する発光機能パイプを組み合わせた誘導手摺に関するものである。
【背景技術】
【０００２】地下室、地下街等においては昼夜を問わず点灯し、又緊急時の非常灯用に非常電源を設けている。
【考案の開示】
【考案が解決しようとする課題】
【０００３】非常電源は設置と維持管理等に経済的負担も大きく、又スペースも必要になる更に地震・事故・災害時の機器破壊・断線等によって効果を発揮しなくなる。又、その為に別途誘導補助材を設ける等経済的負担が増加する。
手摺と暗闇所における誘導機能材を一体化する事で、前述の欠点を解決しようとするものである。【０００４】本考案は手摺本体に蓄光材を収納する溝部を設け、蓄光材は損壊保護用に二重パイプを装着し溝部に圧入する。手摺端部のキャップ又は接続エルボがこの蓄光材内蔵二重パイプを確実に保持する。
【考案の効果】
【０００５】上述の様に、本考案の蓄光機能付き手摺は、暗闇時においても長時間発光し誘導方向を示す。建物の非常時損壊状態、火災発煙、断線時におけるパニック状態においても日常認知している手摺は探し易く、加えて連続発光明示の為、誘導され易い。
【考案の実施する為の最良の形態】
【０００６】本考案による手摺を居住位置或いは歩行場所に設置する場合、平常時の明光を受け易い方向に向ける。
【実施例】
【０００７】設置高さは、利用者の最も適切なる位置が好ましい。凡そ床面から８００ｍｍ前後とする。【０００８】誘導位置の明示の為必要に応じて、設置の方向を変える事が出来る。床面に平行を通常とするが、誘導上曲がり角・階段に接続する部位においては、床面に垂直方向もしくは階段などの傾斜に合わせてもよい。【０００９】本考案の蓄光手すりは特に暗闇において効果を発揮するものであるが、平常時においても身体維持機能設備として有効である。溝部に圧入された蓄光カバーと手すり本体との間に生じる僅かな隙間は、身体維持を図る利用者に日常的な滑り止めとなる。
【図面の簡単な説明】
【００１０】
【図１】本考案の蓄光機能手すりの正面図である。
【図２】蓄光材内蔵二重パイプの断面図である。
【符号の説明】
【００１１】１．ステンレスパイプ材
２．側端片    移動規制片
３．溝部      固定片
４．装着部材（樹脂製）
５．溝カバー  外包み（樹脂製）
６．溝カバー  内包み（樹脂製）
７．中空部
８．当接片
９．蓄光シート
【図１】
0003103370.tif 000003
【図２】
0003103370.tif 000004
【手続補正書】
【提出日】平成16年3月8日(2004.3.8)
【手続補正１】
【補正対象書類名】実用新案登録請求の範囲
【補正対象項目名】全文
【補正方法】変更
【補正の内容】
【実用新案登録請求の範囲】
【請求項１】
建物の壁面に設けて歩行者の活動バランスを保持しようとする手摺材に、更に利用者に便なる誘導機能を持たせる機能として手摺表面に長方向に沿って溝を設け発光機能材を取りつけて、手摺は不燃性の管材の表面に長手側に沿って直線に有幅の溝を設けるべく、管体の長方向に切断された表面を対向する背面方向に折り曲げ側端片とし、更に側端片の先端を中心方向に折り曲げ固定片として、対応する切断表面も対向する背面方向に折り曲げ移動規制片とし、この先端を中心方向に折り曲げ固定片として対応する固定片と同一背面を有する溝構造を有する蓄光機能付誘導手摺
【請求項２】
前記側端片と移動規制片との間には互いに固定片を有するから、それぞれの固定片を接続させて溝となり、連続した中空部を有した管状に溝が形成され、溝部の長手方向に樹脂性中空パイプを前記各対向する側端片と移動規制片をそれぞれ当接状態として圧入、断面がほぼコの字上に形成されたパイプ材は装着部材を溝にある固定部材とパイプに設けられた側端片との間にそれぞれ圧入されて前記表装板にて溝を覆う樹脂製カバーを具備した事を特徴とする請求項１記載のパイプ材の組成構造の蓄光機能付誘導手摺
(57)【要約】      （修正有）【課題】発電装置の設備の設置、又自然界の制約などが有って雨量が少ない時、風の無い時、日照時間の少ない時、などの問題など一切関係無く、ただ海の水があって満ち潮、引潮が繰りかえされていれば年間を通して何時でも発電する事が出来る海水水圧発電装置を提供する。【解決手段】海水は満ち潮と同時に、湾２に入る、満潮になった時点で、開いて置いた隔離壁４を閉鎖する、こんどは引潮になった時、湾内の海水は潮位の低くなった海３側へ流れようとする、この水圧を隔離壁４の低部に設置した発電機５に海水を送り発電機を作動させて発電をするものである。【選択図】図２
0003103364.tif 000002
【実用新案登録請求の範囲】
【請求項１】
海水の干満の差を利用して湾内と外海を開閉可能な隔離壁で塞ぎ、上げ潮の時は外海から湾内に、引潮の時は湾内の海水が外海に流れる水流を隔離壁の低部に設置した発電機に通して発電するものである。
【考案の詳細な説明】
【技術分野】
【０００１】本考案は海水の満ち潮、引潮の海水の潮位の差を利用した発電装置である。
【背景技術】
【０００２】水力、火力、原子力、風力、大陽のエネルギーで発電をしているが、気象条件や環境えの配慮などの問題点も多の課題を提示しているが、本考案はそれらの問題を全てを解決出来るものである。
【考案の開示】
【考案が解決しようとする課題】
【０００３】発電に関してはいろいろな方法が有るが、発電装置の設備の設置、又自然界の制約などが有って雨量が少ない時、風の無い時、日照時間の少ない時、などの問題など一切関係無く、ただ海の水があって満ち潮、引潮が繰りかえされていれば年間を通して何時でも発電する事が出来るものである。
【課題を解決するための手段】
【０００４】本考案は湾や入江等を開閉出来る堤防や隔離壁で遮断して、海水の引潮、満潮の潮位の圧力を利用して隔離壁の低部に設置した発電機を稼動して、タ−ビンを回転させて発電する装置で設備を造ってしまえば、ほとんど費用が掛からないのが特徴である。
【考案の効果】
【０００５】従来の発電設備には多額の費用が掛かり又景観を損ねたりする事が有ったり、天候の具合では思うように目的がはたせなかったが、本考案は天候や環境問題などには一切関係なく、又台風などの大波で湾内の漁船なども此施設の為に最少の被害と言うよりほとんど無害になる事と思われます。
【考案を実施するための最良の形態】
【０００６】湾や入江の入り口を開閉可能な隔離壁で遮断して遮断壁の低部に発電機を設置して、湾内の海水と海側の海水の水位が同じになった時、隔離壁の水門を閉じれば自然と潮位の差から生じる水流を発電機に通して発電するものである。
【実施例】
【０００７】以下、添付図面に従って、実施例を説明する。
海水は満ち潮と同時に、２の湾に入る、満潮になった時点で、４の開いて置いた隔離壁を閉鎖する、こんどは引潮になった時、２の湾内の海水は潮位の低くなった３海側え流れようとする、この水圧を４隔離壁の低部に設置した５の発電機に海水を送り発電機を作動させて発電をするものである。
【図面の簡単な説明】
【０００８】
【図１】上から見た図
【図２】横から見た図
【符号の説明】
【０００９】１  陸地
２  湾
３  海
４  開閉可能な堤防又は隔離壁
５  発電機
【図１】
0003103364.tif 000003
【図２】
0003103364.tif 000004
【手続補正書】
【提出日】平成16年3月11日(2004.3.11)
【手続補正１】
【補正対象書類名】実用新案登録請求の範囲
【補正対象項目名】全文
【補正方法】変更
【補正の内容】
【実用新案登録請求の範囲】
【請求項１】
海水の干満の差を利用して発電する装置である、湾内と湾外との間に隔離壁を構築して湾内の海水と湾外の海水を遮断して、潮の満ち引きで生じる海水の潮位の差を応用してその水圧を利用して発電をする装置である、構築した隔離壁内部に海底よりも上部水中に発電機を設置構築します、この発電装置のタービンは現在の物は、一方のからの水流だけの物ですが、ここに構築設置するタービンは両方行からの水流で発電出来る物で現在の我国の技実では製作可能な発電機を隔離壁内に構築して湾内と外洋の潮の上げ下げで隔離壁に遮断された海水は、水位の低い方に流れる海水のエネルギーをタービン内部を通過させて、上げ潮の時も引潮の時も常時発電が可能な装置で有る。
(57)【要約】【課題】  外傷性の槌指、特に末節骨骨折のある槌指に対し、従来の３点支持型指装具の固定力を強め、なおかつ指背の皮膚の循環障害を防止、軽減する。【解決手段】  指背おさえ（１）の主材が従来フェルトのみであったものをアルミニウムなどの硬質板（２）とし、裏面にフォームラバーなどの柔軟な緩衝材（３）を置き、なおかつ２、３には通気孔（４）が設けられている事を特徴とする。【選択図】  図２
0003103366.tif 000002
【実用新案登録請求の範囲】
【請求項１】
指背おさえ（１）の主材がアルミニウム板や硬質プラスチック板などの硬質板（２）である、槌指用３点支持型指装具。
【請求項２】
請求項１の槌指用指装具の指背おさえ（１）、あるいは一般的に副子（シーネ）や装具などで、硬質板（金属やプラスチックなど）あるいは裏面の皮膚に当たる部分の緩衝材などにおいて、数ｍｍ程度の間隔で直径０．５〜３ｍｍ程度の通気孔（４）のあるもの。
【考案の詳細な説明】
【技術分野】
【０００１】  この考案は、突き指などの外傷により生じた槌指に対し用いる、（固定力を強めた３点支持型）指装具に関するものである。
【背景技術】
【０００２】  従来の槌指に対する指装具は、セフティピン型（安全ピン型）などの三点支持型指装具が現在一般的に用いられる治療装具であり、本考案の原型である。ところが、このセフティピン型指装具は、従来指背おさえがフェルトなどの柔らかい素材であった。
【考案の開示】
【考案が解決しようとする課題】
【０００３】  従来の外傷性の槌指に対する保存的治療としての指装具、特にセフティピン型などの三点支持型指装具において指背おさえがフェルトのみであるので、末節骨骨折のある槌指（骨性槌指）に対し、末節骨基部背側の遊離骨片を押さえる力が弱く、骨片が少し離開したまま骨癒合する事が非常に多かった。
本考案は、このような従来のセフティピン型指装具などの槌指用三点支持型指装具の固定力の弱さを補うためになされたものである。又、この為に考えられた本考案である指背おさえが硬質板である指装具は圧迫力が強いため、皮膚障害が起こりやすい。これを緩和するためにも本考案がなされる。
【課題を解決するための手段】
【０００４】  槌指用三点支持型指装具の指背おさえ（１）をアルミニウムや硬質プラスチックなどの硬質板（２）を主材とし、その裏地（３）として、フェルトやフォームラバーなどの柔軟な素材よりなる緩衝材とする。又、この硬質板及び裏地の緩衝材には通気孔（４）を持たせ、通気性を良くする。硬質板（２）の上面には、本体とを結ぶストラップ（５）が貼付される。
本考案は以上の構成よりなる指背おさえと指腹部を支える本体とを持つ槌指用三点支持型指装具である。
【考案の効果】
【０００５】  槌指用（三点支持型）指装具において可動性の指背おさえがアルミニウム又はプラスチックなどの硬質のものであるので、指背への圧迫力がよくかかり、外傷性の槌指、特に末節骨骨折のあるもので、骨片に対し従来のものより強い圧迫力が得られる。硬性の指背おさえの裏、つまり指背に当たる部分には、柔軟な素材として、フェルトやフォームラバーが介在するが、この硬質板および裏地には通気孔がある事により通気性が良くなり、この硬質の指背おさえによっておこる可能性のある皮膚の循環障害を防止あるいは軽減する事が出来る。
【考案を実施するための最良の形態】
【０００６】  以下、本考案の実施の形態について説明する。
アルミニウム又は硬質プラスチックなどの硬質板（２）で長さ（指の長軸方向）１０ｍｍ、横幅１４ｍｍ程度の大きさのものの裏面にフェルトなどの線維素材又はフォームラバーなどを貼付する。この硬質板（２）およびその裏地（３）には、通気性を持たせるために数ｍｍ程度の間隔で直径０．５〜３ｍｍ程度の通気孔（４）が開けられる。この指背おさえ（１）の硬質板（２）の上面にマジックテープ付ストラップ（５）を貼付する。この硬質板は、平面か、又は指の長軸方向にも横方向にも上面（指背面）凸の僅かな  曲を持つ方が装着時に安定する。本考案である三点支持型指装具の本体は、従来より用いられているセフティピン型指装具などの指装具の本体をそのまま活用し、近位部（８）、遠位部（９）および両部を結合する両側面のループピン（７）よりなる。実際に外傷性の槌指（特に末節骨骨折）に対して用いる時は、本体（６）の近位部（８）、遠位部（９）をそれぞれ、指の中節および末節の指腹に当て、又、指背おさえ（１）を遠位指節間（ＤＩＰ）関節（１０）の背面に当て、指背おさえ上部のストラップ（５）を本体の両側面のループ（７）にかけ、締めて指背おさえの上でマジックテープで留める。
【図面の簡単な説明】
【０００７】
【図１】本考案の装具装着時の指正中縦断面図である。
【図２】本考案の装着時の斜視図である。
【図３】本考案の未装着時の斜視図である。
【符号の説明】
【０００８】１    指背おさえ
２    指背おさえ上面の硬質板（アルミニウムや硬質プラスチックなど）
３    指背おさえの裏地（フォームラバーやフェルトなど）
４    通気孔
５    指背おさえ固定用のマジックテープ付ストラップ
６    三点支持型指装具（セフティピン型）の本体
７    本体側部のループ
８    本体の近位部
９    本体の遠位部
１０  遠位指節間（ＤＩＰ）関節
【図１】
0003103366.tif 000003
【図２】
0003103366.tif 000004
【図３】
0003103366.tif 000005
【手続補正書】
【提出日】平成16年3月18日(2004.3.18)
【手続補正１】
【補正対象書類名】実用新案登録請求の範囲
【補正対象項目名】請求項２
【補正方法】変更
【補正の内容】
【請求項２】
請求項１の槌指用指装具の指背おさえ（１）、あるいは一般的に副子（シーネ）や装具などで、金属やプラスチックなどの硬質板あるいは裏面の皮膚に当たる部分の緩衝材などにおいて、数ｍｍ程度の間隔で直径０．５〜３ｍｍ程度の通気孔（４）のあるもの。
(57)【要約】      （修正有）【課題】古瓦や破損瓦のリサイクル化と資源保護、そして地下水の保全を行い、道路表面でのスリツプを防止する。【解決手段】屋根瓦を破砕機等でチップ化し合成樹脂等と配合し透水性の舗装とする。主原料の瓦破砕骨材は砂利等の一般骨材に比べ強度に欠けるが、多孔質である事から軽いが透水性や吸音性に富む主原料であり、この強度を補うために液体樹脂を舗装の固化材として用いる。【選択図】図１
0003103361.tif 000002
【実用新案登録請求の範囲】
【請求項１】
屋根瓦を破砕機等でチップ化し合成樹脂等と配合し透水性舗装とする
【考案の詳細な説明】
【考案の詳細な説明】
【産業上の利用分野】
【０００１】本考案の透水性舗装は、古瓦・破損瓦のリサイクル化と資源保護そして地下水の保全、交通関係についてはスリツプ防止を主の目的に考案したもので、強いては地球温暖化・環境整備・資源の再利用に大きく貢献が出来る事は勿論施工費用も割安なので産業上利点が期待出来る。
【背景技術】
【０００２】従来の技術（景観的合成樹脂舗装）は景観を主に考慮されたものが多い又一般的なアスファルト舗装には粉砕砂利とアスファルト（タール）を主な材料として転圧して居たもので有る。
【考案が解決しようとする課題点】
【０００３】（１）地球温暖化そして地下水保全を考慮した課題点。
（２）車両通行時の摩擦音の課題点。
（３）耐磨耗及び強度の課題点。
（４）コストの課題点。
【課題を解決する手段】
【０００４】（１）本考案の瓦破砕チツプによる透水舗装は道路表面温度が低く（通常に比べ約５°低い）出来る事と、透水性に富む事で雨水等の水は理想的な速度で地下に浸透する従って地球温暖化予防と地下水を豊富にする
（２）本考案の舗装の構造はポーラス状に圧縮するが主材の瓦チップには焼成する際に多穴質のバルーンになつている事からチップ個々が中空となり摩擦音等を吸収する効果がある。
（３）本考案舗装の接着剤（固化剤）はアスファルト（タール）に比べ格段の固化能力が有る事から表面硬度に恵まれることから、熱や振動から来るのネツクが少ない、従って表面のすり減りや偏磨耗が激減する。
（４）主原料がリサイクル資材である事と、路盤工程に省力化が望めることからコストの低減が計られる他、一般舗装に比べ寿命が長い事は勿論メンテナンスが激減する事でトータルコストが軽減できる。
【考案実施の形態】
【０００５】此の瓦破砕チップによる透水舗装の形態として、主原料の瓦破砕骨材は一般骨材等（砂利）比べ強度硬度に欠けるが、逆の特徴として一般骨材に比べ多孔質である事から軽いが透水性や吸音性に富む主原料となる、この強度や硬度をカバー（置換作用）する考案しして、新しく開発した液体樹脂（従来の樹脂に比べ液ダレがなく均一攪拌と固化硬度が高い）を舗装の固化材として採用する事により、既存例に無いグレードアップした舗装が出来る、又既存の樹脂舗装は舗装路盤を吟味する条件が必死だったが此の工法及び形態はこれらの条件を緩和出来る事から施工費用軽減できる、又この工法効果のもう一つの利点として、透水速度が早いのでスリップ度合いが激少する。
【考案の効果】
【０００６】この考案は舗装観念及び材料の特徴をフルに活用して考案したもので産業廃棄物の有効利用と環境整備そして景観的にも最適な資材である、又製品その物は軽量で有り、生産コストが安く施工費用も安価に押さえられ、且つメンテナンスも激減する事から、新資材及び新工法として活気的な使途が期待出来ると自負するものである。
【図面の簡単な説明】
【図１】本考案の構造図である。
【図２】本考案の施工順序図解図である  （ａ）ミキササーに▲１▼▲２▼を投入後攪拌  （ｂ）小運搬車より打設しレーキ等で不陸調整する。  （ｃ）鏝押さえ
【符号の説明】
▲１▼瓦チップ
▲２▼固化材（二液性合成樹脂）
▲３▼ミキサー
▲４▼小運搬車
▲５▼レーキ
▲６▼鏝
【図１】
0003103361.tif 000003
【図２】
0003103361.tif 000004
【手続補正書】
【提出日】平成15年12月25日(2003.12.25)
【手続補正１】
【補正対象書類名】実用新案登録請求の範囲
【補正対象項目名】全文
【補正方法】変更
【補正の内容】
【実用新案登録請求の範囲】
【請求項１】
屋根瓦を破砕機等でチップ化し合成樹脂で固化した透水舗装
【手続補正２】
【補正対象書類名】明細書
【補正対象項目名】考案の名称
【補正方法】変更
【補正の内容】
瓦チップによる透水舗装
(57)【要約】【課題】自動車は、家族や会社の複数の社員で共用するケースが多いが、１枚に１図柄しか記載されていない従来の自動車用サインでは、運転者が変わるたびに自動車用サインも付け替えなくてはならなかった。また、家族の状況や構成、社員の構成が変わるたびに、図柄および使用目的の異なる複数の自動車用サインを購入しなくてはならなかった。【解決手段】１枚の自動車用サインの表、裏の各面に、それぞれに違った意味、使用目的を持った異なった図柄を記載し、利用者がリバーシブルに活用できるようにする。例えば、表には若葉マーク、裏には紅葉マークを印刷するなど。【選択図】    図１
0003103368.tif 000002
【実用新案登録請求の範囲】
【請求項１】
表と裏に異なる図案を記載することにより、使用目的、適応範囲を２倍に拡大する、いわゆるリバーシブルに活用できることを特徴とする自動車用サイン。
【請求項２】
請求項１の特徴を有したマグネット式の自動車用サイン。
【請求項３】
請求項１の特徴を有した吸盤等を車体に取り付けそこから吊り下げる形式の自動車用サイン。
【請求項４】
請求項１の特徴を有したＰＯＰ式の自動車用サイン。
【考案の詳細な説明】
【技術分野】
【０００１】本考案は、表面と裏面にそれぞれ異なった図柄をプリントすることで２通りの使用目的、用途を有しリバーシブルに活用できる自動車用サインの作成に関する。
【背景技術】
【０００２】従来の自動車用サインは、図柄を片面にしか記載していなかった。そのため、１枚のサインには、１つの使用目的、１つの用途しかなかった。
【考案の開示】
【考案が解決しようとする課題】
【０００３】自動車は、１台を家族や会社の複数の社員で共用するケースが多いが、１枚に１図柄しか記載されていない従来の自動車用サインでは、運転者や同乗者が変わるたびに自動車用サインも付け替えなくてはならない。
例えば、免許取り立ての若い社員Ａと高齢の社員Ｂが、１台の車を共用している場合などがこれにあたる。そのような場合、これまでは「若葉マーク」と「紅葉マーク」の２種類のサインを購入しなければならなかった。加えて、付け替えも手間がかかるため、若い社員Ａが運転中であっても、「紅葉マーク」を付けたままというケースも少なくない。
また、一般家庭においては、家族の状況や構成が変わるたびに複数の自動車用サインを購入しなくてはならないという問題もある。具体的な例としては、妊娠中の妻がいる家庭の場合、妊娠中に「妊娠中の女性が乗っている」旨の自動車用サインを購入したとしても、数ヶ月後には「赤ちゃんが乗っている」旨のサインに買い換えなければならない。さらに、夫が自動車を一人で利用する場合や他に赤ちゃんがいる場合などは、また別の自動車用サインを購入したり、その度ごとに付け替えたりしなければならない。
このように、複数の自動車用サインを購入することは金銭的にも負担がかかるばかりでなく、ドライバーや同乗者が変わるたびにサインを付け替える手間がかかる。そのコストや手間を惜しむ人は意外なほど多い。
その結果、乗車している人の実際と自動車用サインが示す内容とに齟齬が生じているケースも少なくない。例えば、夫と赤ちゃんだけが車に乗っていても「妊娠中の女性が乗っている」旨のサインを付けっぱなしの場合などがこれにあたる。
こうした齟齬は、他の車や歩行者の不信感につながる恐れもあり、ひいては、同種のマークそのものの存在意義を揺るがすことにもなりかねない。
また、時として、交通安全上のトラブルも引き起こす危険性がある。
【課題を解決するための手段】
【０００４】表、裏の各面に、それぞれ異なった図柄を記載し、リバーシブルに活用できるようにする。例えば、片面は若葉マーク、もう片面は紅葉マークを記載する。または、片面には妊娠中の女性が乗っていることを示す図柄、もう片面は幼児が乗っていることを示す図柄（出産後に使用）を記載するなど。
【考案の効果】
【０００５】２つの図柄が１両面印刷になっている：たとえば若葉マークと紅葉マークが裏表に印刷されていることで、従来であれば２枚の自動車用サインを購入しなくてはならない場合でも１枚の購入で済み、消費者の負担が軽減する。【０００６】表裏をひっくり返すだけで簡単に図柄を取り替えることができるため、運転者や所有者の手間も軽減する。【０００７】結果的に、運転者が変わる度にこまめに表裏をひっくり返してもらえるようになることで、自動車用サインの図柄との齟齬も少なくなり、周囲の混乱も減る。安全運転にも貢献できる。
【考案を実施するための最良の形態】
【０００８】自動車用サインの両面に、それぞれ異なった図柄を印刷する。
【図面の簡単な説明】
【図１】両面磁石等を用い、両面磁石板の表裏各面にそれぞれ異った図柄を印刷記載する。マグネット式自動車用リバーシブルサインの概念図
【図２】上部に吸盤などを付属し、その吸盤で自動車の車体に取り付ける式の自動車用リバーシブルサイン吸盤等付属式の概念図
【図３】本体の一部に針金等と吸盤が組み合わさった取り付け具があり、その取り付け具を自動車の車体に取り付ける、いわゆるＰＯＰ形式の自動車用リバーシブルサインＰＯＰ式概念図
【図１】
0003103368.tif 000003
【図２】
0003103368.tif 000004
【図３】
0003103368.tif 000005
【手続補正書】
【提出日】平成16年3月25日(2004.3.25)
【手続補正１】
【補正対象書類名】実用新案登録請求の範囲
【補正対象項目名】全文
【補正方法】変更
【補正の内容】
【実用新案登録請求の範囲】
【請求項１】
丸型または若葉マーク型の両面磁石板の表面と裏面に、それぞれ異なる図柄を印刷することで、表と裏で２通りの使い分けを可能にした、いわゆるリバーシブルであることを特徴としたマグネット式の自動車用リバーシブルサイン。
【請求項２】
（イ）表面と裏面に、それぞれ異なる図柄を印刷した紙製の板やプラスチック板、金属板などのプレート。
（ロ）（イ）を車体へ取り付ける吸盤。
以上の構造を有することで、表と裏で２通りの使い分けを可能にした、いわゆるリバーシブルであることを特徴とした吸盤取り付け式の自動車用リバーシブルサイン。
【請求項３】
（イ）表面と裏面に、それぞれ異なる図柄を印刷した紙製の板やプラスチック板、金属板などのプレート。
（ロ）（イ）のプレートを車体へ取り付ける吸盤と針金等で作られたいわゆるポップタイプの部品。
以上の構造を有することで、表と裏で２通りの使い分けを可能にした、いわゆるリバーシブルであることを特徴としたポップタイプ取り付け式の自動車用リバーシブルサイン。
(57)【要約】【課題】  本考案は、動物愛護の精神により、犬種の延命対策と健康優良体格に飼育するために、耐久性に優れた扇型容器を作製して、犬の体力により破損されることがないようにした容器の内部へ７種類の機能器具を収納して、家庭用電源を使用、操作盤より管理器本体の各器具を季節に対応して安全且つ経済的に作動させ、愛犬の生活環境の向上を図り、健康管理を成し遂げる。【解決手段】  本考案は、健康管理本体１に各種機能をもつ器具を取付、２操作盤の各スイッチを切り替えて、冬期は１１暖房ライトを使用する。１３、１４ライトを犬に照射して殺菌と皮膚の血行を促進できる。本体付近に抜毛・ほこりなどがある時は、１５を作動して掃除する。夏期は蚊も多発するので、フィラリア予防対策に１２，１７を作動して駆除する。その他状況と季節に対応して各機能器具を操作して、完全作動することにより、愛犬の健康管理に役立つ。【選択図】    図１
0003103373.tif 000002
【実用新案登録請求の範囲】
【請求項１】
犬の延命対策と健康優良体格に育成遂行を目的に、本体は鋼材と耐熱材ガラスの組合わせにより、耐久性に優れた容器である。前面を円形型にして、本体内部より各種ライトの光線を、中央に集中直射できるように扇型ボックスに形成した。本体の特徴は、犬に破損されやすい７種類の機能をもつ器具を、容器の中に収納、固定して壊されず、定位置より動かされず、安全に使用できるため、愛犬が四季を通して清潔、又は快適な環境にて飼育できる、愛犬健康管理器
【考案の詳細な説明】
【技術分野】
【０００１】  本考案は、犬種の健康管理器具類を、安全に保護して使用できる、耐久性に優れた、扇型容器に関するものである。
【背景技術】
【０００２】  今迄に販売されていた犬種の健康器具類は、室内、屋外犬舎、サークル内へ設置すると、犬の行動範囲であれば破損されてしまう器具であった。
【考案の開示】
【考案が解決しようとする課題】
【０００３】  従来より、ペットショップなどに販売されていた、紫外線ライト、防虫ランプ、蚊取器、暖房用ライト、脱臭器、その他効力に優れた器具もあるが、陽気で活発な犬ほどジャレつき、かじる、引っ掻く、暴れて物を壊すなど、適度な運動と訓練を行っていても、器具の破損でケガをする、飲み込んで瀕死の重傷、又は死に至るなど非常に危険であった。この器具類をいかに安全に保護して使用できるか、前述の欠点を解決しようとするものである。
【課題を解決するための手段】
【０００４】  上記目的を達成するために、鋼材製の扇型容器に、各機能に優れた電球と器具類を収納、固定して、一体化をすることにより、破損されず保護されて、安全に使用できる管理器であることにより、問題点を解決している。
【考案の効果】
【０００５】  上述の様に、本考案の愛犬健康管理器を、室内又は屋外犬舎内、サークル内に設置して、各機能器具を季節に応じて作動させて、愛犬の生活にリラックスとやすらかな安眠効果が得られ、また清潔な環境にて飼育でき、健康な体格、おとなしく、忠誠心と順応性に優れた犬種の延命に役立つ。
【考案を実施するための最良の形態】
【０００６】  扇型の容器は、角度を直角とし、四角形の犬舎内、または室内の片隅へ隙間なく、左右間にごみなどが挟まらない。扇型の形状により、光線の角度を中央に集中直射できる。前面のドアは鍵を取付、円形型のため柔軟性があり、障害的感覚が少なく、愛犬がかみつきにくい型であり、開けることはできない。飼い主が前面を開けると、収納した器具類の点検及び消耗品、各電球の交換が容易にできる。操作盤に各器具の名板付スイッチと漏電ブレーカーがセットされて、容器内の各機能器具が安全に且つ経済的に作動し、また延長コードにより室内から屋外犬舎への遠隔操作もできる。
【実施例】
【０００７】  以下、添付図面に従って一実施例を説明する。扇型ボックス１は愛犬健康管理器本体、２操作盤を３延長コードにて本体へ接続して、内部器具類を各スイッチにより遠隔操作できる。本体は前面に円形型の４開閉ドアを、５のピンにて取付、愛犬に開くことは不可能にするため、６ドア鍵を取付、飼い主が器具類の点検、消耗品の交換が容易にできるようにしたものである。本体内部の中央より仕切板を設け、７下段に各種機能をもつ電球収納室、８上段各種器具収納室、９防護策としてステンレス綱を前面に、その後側に、１０ごみ・ほこりなどの侵入を防ぐため耐熱材ガラス、１１冬期暖房用ライト、１２夏期防虫イエローランプ、１３殺菌効果のある紫外線ライト、ｌ４皮膚と毛並みを良くする赤外線ライト、１５ハンドクリーナーをセットして、１６吸引口より抜毛や落下した蚊・虫・ほこりなどが収集できる。【０００８】  犬種延命の要であるフィラリア予防対策として蚊を退治するために、１７水溶性蚊取器をセットして、１８蒸発口より無香料の揮発殺虫剤を放出する。また蒸発口を、１９雨水、犬の排尿などの侵入を防止するためカバーを設ける。室内、犬舎内の異臭を取り除くために、２０脱臭剤器をセットして、２１空気孔より機能を発揮させる。２２電源コード、２３補助具等を取り付け可能にするため、ＡＣ１００Ｖ用コンセントを取り付けてある。【０００９】  本考案の一実施例は、上述の如き構成からなるものであるから、１愛犬健康管理器本体に収容されている器具類が完全保護されて、２操作盤より各スイッチの切替えができ、各器具の消耗品を経済的に使用することができる。
【図面の簡単な説明】
【００１０】
【図１】本考案の愛犬健康管理器本体と操作盤の一実施例を示す正面図である。
【図２】管理器本体のドアを開いた状態での各器具類の配置正面図である。
【符号の説明】
【００１１】  １  愛犬健康管理器本体
２  操作盤（ＡＣ１００Ｖ電源）
３  延長コード
４  開閉ドア
５  ドア取付ピン
６  ドア鍵
７  下段各種電球収納室
８  上段各種器具収納室
９  ステンレス綱
１０  耐熱材ガラス
１１  暖房用ライト
１２  防虫イエローランプ
１３  紫外線ライト
１４  赤外線ライト
１５  抜毛収集ハンドクリーナー
１６  吸引口
１７  水溶性蚊取器
１８  蒸発口
１９  雨水・排尿侵入防止カバー
２０  脱臭剤器
２１  空気孔
２２  電源コード
２３  ＡＣ１００Ｖ用コンセント
【図１】
0003103373.tif 000003
【図２】
0003103373.tif 000004
【手続補正書】
【提出日】平成16年3月8日(2004.3.8)
【手続補正１】
【補正対象書類名】実用新案登録請求の範囲
【補正対象項目名】請求項１
【補正方法】変更
【補正の内容】
【請求項１】
犬の延命対策と健康優良体格に育成遂行を目的に、本体は鋼材と耐熱材ガラスの組合せにより、耐久性に優れた容器であり、前面を円形型にして、本体内部より各種ライトの光線を、中央に集中直射できるように扇形ボックスに形成し、犬に破損されやすい７種類の機能をもつ器具を、容器の中に収納されてあり、固定して壊されず、定位置より動かされず、安全に使用できるようになっている、愛犬を四季を通して清潔、又は快適な環境にて飼育できる、愛犬健康管理器。
(57)【要約】【課題】  三味線の棹１の長さ２〜６及び野の長さ４〜５を短くすることにより、子供の指の長さに応じて、小さく形成できるように棹１の長さ２〜６及び、野の長さ４〜５も多様化を持たせることができる子供用三味線を提供できるようにした。【解決手段】  本来ある伝統的な型を損なうことなく、棹１の長さ２〜６及び、野の長さ４〜５を短くすることにより、指の小さい子供が容易に三味線を弾けるように形成された子供用三味線である。【選択図】  図１
0003103378.tif 000002
【実用新案登録請求の範囲】
【請求項１】
三味線の棹の長さ及び、野の長さを短く形成されたことを特徴とする子供用三味線。
【考案の詳細な説明】
【考案の詳細な説明】
【技術分野】
【０００１】従来の三味線は棹１の長さ２〜６及び野の長さ４〜５が長いため、初心者である子供は指が小さく使用するには支障があった。
本考案は三味線の棹１の長さ２〜６を及び野の長さ４〜５を短くすることにより、子供が容易に使用できるようにした子供用三味線である。
【背景技術】
【０００２】従来は三味線の棹１の長さ２〜６は約７８センチメートル程の長い棹が主流であった。棹１の長さ２〜６及び、野の長さ４〜５の短い子供用の三味線はなかった。
【考案が解決しようとする課題】
【０００３】本考案は従来ある棹１の長さ２〜６及び、野の長さ４〜５の三味線は初心者である子供の教習や練習には支障をきたしている。棹１の長さ２〜６及び野の長さ４〜５を短くし、音質、強度、粘り、質感を変えることなく、指の小さい子供が容易に使用できるようにした三味線を得ることができる。
【課題を解決するための手段】
【０００４】従来の三味線は棹１の長さ２〜６及び、野の長さ４〜５が長いため、子供が使用するには音階であるつぼを押さえるには指が小さく、特に小指で押さえる箇所の音階であるつぼを押す力が弱く、使用するには音が出しにくいという支障があった。
三味線の棹１の長さ２〜６及び、野の長さ４〜５を子供の指に合わせて子供が容易に使用できるように形成したことを特徴する子供用三味線を考案することに到達した。
【考案を実施するための最良の形態】
【０００５】図１〜図２は本考案の実施形態に係る三味線の棹１の長さ２〜６及び、野の長さ４〜５を短くした子供用三味線を示し、図１は三味線を組み立てた状態を示した斜視図である。図２は、棹１の側面図である。実施形態では野の長さ４〜５を短くすることにより指の小さい子供や女性が使用できるようにした三味線を示したものである。
本考案は琉球民謡の楽器である三味線に限らず、日本民謡の楽器である三味線にも同様に含まれる。
【本考案の効果】
【０００６】三味線の棹１の長さ２〜６及び、野の長さ４〜５を短くすることにより、胴もバランスを取るために小さくし全体のデザインを崩さず、軽量コンパクト化され、子供でも簡単に持ち運びができる子供用三味線を提供することができる。
【図面の簡単な説明】
【図１】本考案の実施形態に係る子供用三味線の斜視図である。
【図２】本考案の実施形態に係る子供年用三味線の側面図である。
【符号の説明】
１  棹
２  月の輪
３  天
４  歌口
５  野坂
６  猿尾
７  胴
【図１】
0003103378.tif 000003
【図２】
0003103378.tif 000004
【手続補正書】
【提出日】平成16年3月19日(2004.3.19)
【手続補正１】
【補正対象書類名】実用新案登録請求の範囲
【補正対象項目名】請求項１
【補正方法】変更
【補正の内容】
【請求項１】
三味線は、本体が棹と胴とから構成され、三本の絃と糸掛を糸蔵に三本の糸巻きが勘合し取り付けられ、三味線の棹は合成樹脂に限らず木製で形成し、従来の棹の長さが７８センチメートル程でその棹の長さを７５センチメートル以下に短く細く形成することにより、野の長さも比例して短くなり、子供の指の大きさに合わせて形成することにより子供が容易に弾くことができるようにしたことを特徴とする子供用三味線。
(57)【要約】      （修正有）【課題】果実入り飲料の中に混入している幼虫を排除したい。【解決手段】ボトル充填前工程で、飲料をガラス溝２に流し、透過光によるラインセンサカメラ５で撮像し、形状認識する手法で幼虫を検出１０，１１し、色が果肉と似ているため透過光を使い、濃度で検出すると果肉を幼虫と誤検出するので、横１ｍｍ以上、縦４ｍｍ以上のものを幼虫と規定して計測し、吸引排出部１２にて吸引排出する。あまり小さいものは誤検出となるので、人が気付く１×４ｍｍ以上を排除するものである。【選択図】図１
0003103374.tif 000002
【実用新案登録請求の範囲】
【請求項１】
果実飲料に於ける果実は、生果実をすりつぶしたものが使用されるが、その果実の収穫時期に於いて、虫により果実の中に産みつけられた卵が幼虫に育ってしまい飲料に混入する。この幼虫を除く手段として
１．    すりつぶした果実に水を加え、飲料の原料とする。
２．    それを傾斜溝に、透過し易い厚さの約１５ｍｍ水深で流す。
３．    溝の底は透過する様にガラスとし、照明装置とラインカメラ装置を設置する。
４．    果実と幼虫の透過量の差と、幼虫の形状認識で幼虫を検出する。
５．    検出したラインを吸引排出機で排出する。
以上の構成から成る果実飲料の中の幼虫検出機。
【考案の詳細な説明】
【考案の詳細な説明】
【技術分野】
【０００１】  本考案は、非破壊検査の技術分野に属するものである。
【背景技術】
【０００２】  果実飲料といっても、果実を粉末にして水溶液で薄めて供給したものが多かった。しかし、最近は果実の繊維入り、又は果肉入りのものが人気商品になっている。従来は、フィルターでろ過して幼虫などを除去していたが、果肉入りとなると、フィルターは使用できないので、抜き取りで開封検査するのが精一杯である。勿論目視検査である。その上、幼虫は果肉と同じ位の密度なのでＸ線、超音波でも検出できない。
【考案が解決しようとする課題】
【０００３】  密度、色が果肉と似ている幼虫をどのようにして分類するか、分類したものを如何にして排除するか、が課題である。
【課題を解決するための手段】
【０００４】  色が果肉と似ているため透過光を使い、図１の如く機器配置を行う。影が図２の如く出る。濃度で検出すると果肉を幼虫と誤検出するので、図３の如く横１ｍｍ以上、縦４ｍｍ以上のものを幼虫と規定して計測し、これ以上の寸法のものを幼虫として吸引排出部▲１２▼にて吸引排出する。あまり小さいものは誤検出となるので、人が気付く１×４ｍｍ以上を排除するものである。
【考案を実施するための最良の形態】
【０００５】  図４の如く果実を順次砕いて、水を加えて飲料になった時、図１の検査をし、幼虫を除去する。その後、果実飲料として市販される。
【考案の効果】
【０００６】  数社が製造している果実飲料の中で、幼虫混入のため信用を落とし、賠償した所もあるので、業界に於ける経済及び信用効果は大である。
【図面の簡単な説明】
【図１】  本考案の機器構成図である。
【図２】  本装置の検出モニター撮像画像である。
【図３】  幼虫の検出寸法説明図。
【図４】  果実製造の流れ図。
【符号の説明】
▲１▼      前工程からの供給配管
▲２▼      検査用溝
▲３▼      撮像ライン
▲４▼      ガラス張り
▲５▼      カラーラインセンサ
▲６▼      ライン照明
▲７▼      照明電源
▲８▼      次工程送りパイプ
▲９▼      廃棄用タンク
▲１０▼    画像検査部
▲１１▼    幼虫排出検出部
▲１２▼    吸引排出部
▲１３▼    画像モニター
▲１４▼    幼虫
▲１５▼    果実収穫
▲１６▼    洗浄消毒
▲１７▼    細かく砕く
▲１８▼    水を加える
▲１９▼    水
▲２０▼    本検査部
２１        充填機
２２        キャップ締め機
２３        ラベル貼り機
２４        ダンボールケーシング機
２５        出荷
【図１】
0003103374.tif 000003
【図２】
0003103374.tif 000004
【図３】
0003103374.tif 000005
【図４】
0003103374.tif 000006
【手続補正書】
【提出日】平成16年3月4日(2004.3.4)
【手続補正１】
【補正対象書類名】実用新案登録請求の範囲
【補正対象項目名】全文
【補正方法】変更
【補正の内容】
【実用新案登録請求の範囲】
【請求項１】
果実飲料中に含まれる幼虫を検出する装置に於いて
１．    果実飲料を傾斜溝に水深約１５ｍｍで流す検査架台。
２．    傾斜台の底は下から見える様にガラス材とする。
３．    ガラスの下側から照明をあて、上部にカラーラインセンサを配し、果実と幼虫の色透過量の差と幼虫の形状認識で検出し、吸引排出機で幼虫を排出する。
以上の構成を有する果実飲料の中の幼虫検出機。
(57)【要約】【課題】  簡単な構成で、操作者も自然な姿勢で縫いぐるみ玩具の操作が可能で、表現豊かな左右の腕部の動きが可能で、誰でも楽しめ、子供の教育用としても有効な大型の縫いぐるみ玩具を提供することを目的とする。【解決手段】  大型縫いぐるみ玩具において、動物等の形状を模した大型の縫いぐるみ玩具の左右の腕部の付け根部に操作者の腕挿入口を形成し、左右の腕部の内部を前記腕挿入口と連通する中空部とし、前記中空部に操作者の腕を挿入可能とし、縫いぐるみ玩具の左右の腕部を縫いぐるみの背後から操作可能としたことを特徴とする。【選択図】  図１
0003103341.tif 000002
【実用新案登録請求の範囲】
【請求項１】
動物等の形状を模した大型の縫いぐるみ玩具の左右の腕部の付け根部に操作者の腕挿入口を形成し、左右の腕部の内部を前記腕挿入口と連通する中空部とし、前記中空部に操作者の腕を挿入可能とし、縫いぐるみの左右の腕部を縫いぐるみの背後から操作可能としたことを特徴とする大型縫いぐるみ玩具。
【請求項２】
前記腕挿入口に封止、開放可能な封止手段を設けることを特徴とする請求項１に記載の大型縫いぐるみ玩具。
【考案の詳細な説明】
【技術分野】
【０００１】
本考案は、左右の腕部を手動操作可能とした大型縫いぐるみ玩具に関する。  
【背景技術】
【０００２】
従来の縫いぐるみ玩具としては、動物の形状を模しただけのものや、内部に機械的、電気的要素を内蔵させ、縫いぐるみに動きや音を発生させるものが存在する。
また、操作者の指で縫いぐるみ玩具の頭部や左右の腕部を操作する指人形形式のものが存在する。
【特許文献１】特開２００２−３５４３９号公報
【特許文献２】特開２００２−３３１１７４号公報
【特許文献３】実開平６−５２８９３号公報
【考案の開示】
【考案が解決しようとする課題】
【０００３】
しかしながら、従来の縫いぐるみ玩具において、単に動物や人形の形状を模しただけのものは、動きがなく、飾り物や、遊戯者が抱っこや一緒に添い寝するという遊びしかできないので飽きがくるという問題を有するものであった。内部に機械的、電気的要素を内蔵させ、縫いぐるみ玩具に動きや音を発生させるものは、その構造が複雑であり、故障しやすく、価格も高価になるという問題を有するものであった。また、操作者の指で人形の頭部や左右の腕部を操作する指人形形式の縫いぐるみ玩具は、指による操作では縫いぐるみ玩具の頭部と左右の腕部の動きに制限があり、その動きにぎこちなさを感じさせるだけでなく、操作者の身体を観客から隠すための幕から手を上にあげて縫いぐるみ玩具を操作するとような不自然な姿勢で操作する必要があり、縫いぐるみ玩具を実際生きているように操作するには熟練したテクニックが必要であった。
【０００４】
本考案は、従来の縫いぐるみ玩具が持つ前記課題を解決した、簡単な構成で、人形操作に不慣れな操作者でも自然な姿勢で操作者の体を観客から隠して、操作者の両手で大型の縫いぐるみ玩具の左右の腕部を操作でき、誰でも楽しめ、子供の教育用としても有効な大型の縫いぐるみ玩具を提供することを目的とする。
【課題を解決するための手段】
【０００５】
本第１考案は、前記従来技術の持つ課題を解決するために、大型縫いぐるみ玩具において、動物等の形状を模した大型の縫いぐるみ玩具の左右の腕部の付け根部に操作者の腕挿入口を形成し、左右の腕部の内部を前記腕挿入口と連通する中空部とし、前記中空部に操作者の腕を挿入可能とし、縫いぐるみ玩具の左右の腕部を縫いぐるみの背後から操作可能としたことを特徴とする。
【０００６】
本第２考案は、本第１考案の大型の縫いぐるみ玩具において、前記腕挿入口に封止、開放可能な封止手段を設けることを特徴とする。
【考案の効果】
【０００７】
本考案の動物等の形状を模した大型の縫いぐるみ玩具の左右の腕部の付け根部に操作者の腕挿入口を形成し、左右の腕部の内部を前記腕挿入口と連通する中空部とし、前記中空部に操作者の腕を挿入可能とし、縫いぐるみ玩具の左右の腕部を縫いぐるみの背後から操作可能とする構成により、単なる大型の縫いぐるみ玩具でありながら、普通の縫いぐるみ玩具として楽しむことができるほか、操作者は大型の縫いぐるみ玩具の背後に隠れながら、操作者の左右の腕を大型の縫いぐるみ玩具の左右の腕部に挿入して操作でき、観客に大型の縫いぐるみ玩具の左右の腕部の動きはあたかも大型の縫いぐるみ玩具自身の意志で動いているかのような不思議な感覚を与え、非常に愛敬のある手動操作可能な大型の縫いぐるみ玩具として誰でも楽しめる効果がある。また、幼稚園や小学校低学年の児童にたいして公衆道徳等の各種教育をする際、大型縫いぐるみ玩具の左右の腕部の動きと操作者の声により、児童に先ず興味を抱かせ、大型縫いぐるみ玩具の左右の腕部の動きと話に集中させることができるので有効な教育手段としても優れた効果を有する。
また、腕挿入口に封止、開放可能な封止手段を設ける構成により、普通の縫いぐるみ玩具として使用する場合に、腕挿入口６が表面に露出することがなく見栄えがよくなる。
【考案を実施するための最良の形態】
【０００８】
本考案の実施の形態を図により説明する。図１及び図２において、大型の縫いぐるみ玩具１は、柔らかな外表素材とその中に詰め込まれる柔らかで弾性を有する詰め物から構成され、通常、かわいらしい動物や人形の形態に形成される。図１及び図２では、熊の形態を模したものである。
【０００９】
大型の縫いぐるみ玩具の胴体部２の上端に頭部３が形成され、胴体部２の上部付近の左右側面に左右の腕部４ａ、４ｂが形成される。また、大型の縫いぐるみ玩具１の胴体部２の下部付近には左右の脚部５ａ、５ｂが形成される。
【００１０】
左右の腕部４ａ、４ｂの付け根部に、操作者８の腕を挿入する腕挿入口６が形成される。左右の腕部４ａ、４ｂには、前記腕挿入口６と連通する中空部７が形成される。この中空部７は、滑りの良い裏地等を袋状に縫製して形成され、操作者８の腕を挿入し手先まで自由に納まる程度の大きさとする。腕挿入口６は、普通の縫いぐるみ玩具として使用する場合、腕挿入口６が縫いぐるみの表面に露出しないようにボタン又はファスナー等の封止手段により腕挿入口６を封止・開放可能としてもよい。  
【００１１】
この大型の縫いぐるみ玩具１を手動操作する場合、操作者８は大型の縫いぐるみ玩具の背後から左右の腕部４ａ、４ｂの付け根部の腕挿入口６から腕を中空部７に挿入し、操作者８が大型の縫いぐるみ玩具１を抱きかかえて操作し、操作者８の身体が大型の縫いぐるみ玩具１の背後に隠れ、左右の腕部４ａ、４ｂを操作しながら話をするので、観客は大型の縫いぐるみの左右の腕部４ａ、４ｂの動きから大型の縫いぐるみ玩具自身の意志で動いて話をしているかのような不思議な感覚を観客に与え、かつ、興味を抱かせることができるので、単に遊戯玩具としてだけでなく、自分では直接言えないことを大型の縫いぐるみ玩具を介して相手に伝えるとか、幼児に各種知識を与えるための幼児教育手段としても使用できる。
【図面の簡単な説明】
【００１２】
【図１】本考案の一実施形態を示す図である。
【符号の説明】
【００１３】
１：大型の縫いぐるみ玩具 
２：胴体部
３：頭部
４ａ：左腕部
４ｂ：右腕部
５ａ：左脚部
５ｂ：右脚部
６：腕挿入口
７：中空部
８：操作者
【図１】
0003103341.tif 000003